(57)【要約】【課題】  透明領域を通して駆動手段及び伝達部材が視認されにくく、美観を損なうことがない弾球遊技機を提供する。【解決手段】  遊技盤４の透明領域から外れた位置に始動口ソレノイド１４（大入賞口ソレノイド１５）を設け、透明領域に重なる部分が透明なアーム１６（アーム３３）により一対の可動翼片２１a、２１b（アタッカー扉３２）に駆動力を伝達し、透明領域を通して始動口ソレノイド１４（大入賞口ソレノイド１５）及びアーム１６（アーム３３）を視認しにくくして美観の低下をなくす。【選択図】        図４
2005296302.tif 000002
【特許請求の範囲】
【請求項１】
裏側が視認できる透明領域を有するベース板の前記透明領域に遊技球が流下可能な遊技領域を形成し、前記遊技領域に可動部材が配置された遊技盤を備え、前記遊技盤の前記透明領域から外れた位置に前記可動部材の駆動手段と、前記駆動手段の駆動力を前記可動部材に伝達する伝達部材とを設け、前記透明領域に重なる位置の前記伝達部材を透明にしたことを特徴とする弾球遊技機。
【請求項２】
請求項１に記載の弾球遊技機において、前記遊技盤の裏側に表示状態が変化する表示手段を備えたことを特徴とする弾球遊技機。
【請求項３】
請求項１もしくは請求項２に記載の弾球遊技機において、
前記可動部材は、前記遊技球を受け入れやすい第１の状態と、前記遊技球を受け入れにくい第２の状態とに変換する可変入賞装置である
ことを特徴とする弾球遊技機。
【請求項４】
請求項３に記載の弾球遊技機において、
前記可変入賞装置は、
一対の可動翼片が連動して開閉することで前記第１の状態と前記第２の状態とに変換するものであり、
前記伝達部材は、
前記ベース板の裏側でもって前記一対の可動翼片に連結されて一方向に往復移動することで前記一対の可動翼片を開閉させる連結部材と、
前記駆動手段及び前記連結部材を連結し、前記駆動手段の駆動力を連結部材の一方向の往復移動として伝達する長尺部材とで構成される
ことを特徴とする弾球遊技機。
【請求項５】
請求項４に記載の弾球遊技機において、
前記長尺部材の移動を案内する透明の案内部材を設けたことを特徴とする弾球遊技機。
【請求項６】
請求項１乃至請求項５のいずれか一項に記載の弾球遊技機において、
前記駆動手段はソレノイドであり、前記ソレノイドの駆動部が前記伝達部材に連結されている
ことを特徴とする弾球遊技機。
【請求項７】
裏側が視認できる透明領域を有するベース板の前記透明領域に遊技球が流下可能な遊技領域を形成し、前記遊技領域に、一対の可動翼片が連動して開閉することで前記遊技球を受け入れやすい第１の状態と、前記遊技球を受け入れにくい第２の状態とに変換する可変入賞装置が配置された遊技盤を備え、
前記遊技盤の裏側に表示状態が変化する表示手段と、
前記遊技盤の前記透明領域から外れた位置に前記一対の可動翼片を開閉させるためのソレノイドと、
前記ソレノイドの駆動力を前記一対の可動翼片に伝達する伝達部材とを設け、
前記伝達部材は、前記ベース板の裏側でもって前記一対の可動翼片に連結されて一方向に往復運動することで前記一対の可動翼片を開閉させる連結部材と、前記ソレノイドの駆動部及び前記連結部材を連結し、前記ソレノイドの駆動力を連結部材の一方向の往復運動として伝達し、少なくとも前記透明領域に重なる部分が透明な長尺部材とで構成され、
前記長尺部材の移動を案内する透明の案内部材を設けた
ことを特徴とする弾球遊技機。
【発明の詳細な説明】
【技術分野】
【０００１】
本発明は、遊技領域内を遊技球が流下するパチンコ機等の弾球遊技機に関し、特に、遊技領域を構成するベース板として透明性を有する部材が用いられる弾球遊技機に関し、美観の低下を防止することを企図したものである。
【背景技術】
【０００２】
弾球遊技機（例えば、パチンコ機）では、遊技球を入賞させるための始動入賞口、可変入賞口、大入賞口が遊技領域のベース板（遊技盤）に設けられている。始動入賞口、可変入賞口、大入賞口を遊技球が通過するパチンコ機の中には、遊技盤の一部に透明性を有する部材が用いられ、透明性を有する部材を用いて形成された領域の背面側に液晶表示装置などの表示装置が設けられたパチンコ機が知られている（例えば、特許文献１、特許文献２等）。
【０００３】
一方、例えば、始動入賞口、可変入賞口や大入賞口には可動部材（可動翼片、アタッカー扉）が設けられ、可動翼片やアタッカー扉は、遊技球を入賞口に受け入れやすい状態と受け入れにくい状態に変換（開閉）される。この可動翼片やアタッカー扉は、電力の供給によりスイッチ部が動作するソレノイド等の電磁アクチュエータ（駆動手段）を用いて開閉動作される。電磁アクチュエータは可動翼片やアタッカー扉の裏側における遊技盤に設けられ、スイッチ部の動作が可動翼片やアタッカー扉に伝えられるようになっている。このような、電磁アクチュエータを用いて可動部材の開閉を行う技術は種々のものが公知となっている（例えば、特許文献３等）。
【０００４】
近年、遊技性を向上させて遊技の演出効果をさらに高めるために、大型の表示装置を用いて遊技盤の広い領域に、遊技球の様々な流下状況や入賞状況に応じて多数のパターンに変化する図柄等の画像を表示させることが検討されている。広い領域に画像を表示させるためには、始動入賞口、可変入賞口や大入賞口が設けられた領域に対しても透明性を有する領域とした遊技盤とする必要がある。
【０００５】
【特許文献１】特開平１１−７６５１７号公報
【特許文献２】特開２０００−６１０４９号公報
【特許文献３】特開２００３−１６４５９７号公報
【発明の開示】
【発明が解決しようとする課題】
【０００６】
始動入賞口、可変入賞口や大入賞口が設けられた領域に対しても透明性を有する領域とした遊技盤とした場合（遊技盤の全面を透明板にした場合）、可動翼片やアタッカー扉が設けられた遊技盤の裏側には電磁アクチュエータが存在しているため、雑然とした印象を与える虞のある電磁アクチュエータが遊技者に視認されてしまうことになる。このため、遊技の演出効果は飛躍的に高まる一方で、パチンコ機の美観を損ねてしまう虞が生じる可能性があった。
【０００７】
本発明は上記状況に鑑みてなされたもので、可動部材を動作させる駆動手段によって美観を損ねることがない弾球遊技機を提供することを目的とする。
【０００８】
本発明は、特に、大型の表示装置を用いて遊技盤の広い領域に画像を表示させても、即ち、遊技領域を形成する遊技盤の透明領域を広くしても、可動部材を動作させる駆動手段が視認されることがない弾球遊技機を提供し、もって、遊技の演出効果の飛躍的な向上と美観の低下防止とを両立させることを目的とする。
【課題を解決するための手段】
【０００９】
上記目的を達成するための請求項１に係る本発明の弾球遊技機は、裏側が視認できる透明領域を有するベース板の前記透明領域に遊技球が流下可能な遊技領域を形成し、前記遊技領域に可動部材が配置された遊技盤を備え、前記遊技盤の前記透明領域から外れた位置に前記可動部材の駆動手段と、前記駆動手段の駆動力を前記可動部材に伝達する伝達部材とを設け、前記透明領域に重なる位置の前記伝達部材を透明にしたことを特徴とする。
【００１０】
請求項１に係る本発明の弾球遊技機では、遊技領域の透明領域に配置された可動部材の駆動手段を透明領域から外れた位置に設け、伝達部材の透明領域と重なる部位を透明にしたことにより、透明領域を通して駆動手段及び伝達部材が視認されにくくなり、美観を損なうことがない。
【００１１】
そして、請求項２に係る本発明は、請求項１に記載の弾球遊技機において、前記遊技盤の裏側に表示状態が変化する表示手段を備えたことを特徴とする。
【００１２】
請求項２に係る本発明では、透明領域である遊技領域における演出効果を飛躍的に向上させることができる。
【００１３】
また、請求項３に係る本発明は、請求項１もしくは請求項２に記載の弾球遊技機において、前記可動部材は、前記遊技球を受け入れやすい第１の状態と、前記遊技球を受け入れにくい第２の状態とに変換する可変入賞装置であることを特徴とする。
【００１４】
請求項３に係る本発明では、透明領域を通して駆動手段及び伝達部材が視認されにくくなり、美観を損なうことがない弾球遊技機で、遊技球を受け入れやすい第１の状態と、遊技球を受け入れにくい第２の状態とに変換する可変入賞装置を備えることができる。
【００１５】
また、請求項４に係る本発明は、請求項３に記載の弾球遊技機において、前記可変入賞装置は、一対の可動翼片が連動して開閉することで前記第１の状態と前記第２の状態とに変換するものであり、前記伝達部材は、ベース板の裏側でもって前記一対の可動翼片に連結されて一方向に往復移動することで前記一対の可動翼片を開閉させる連結部材と、前記駆動手段及び前記連結部材を連結し、前記駆動手段の駆動力を連結部材の一方向の往復移動として伝達する長尺部材とで構成されることを特徴とする。
【００１６】
請求項４に係る本発明では、簡単な駆動機構により一対の可動翼片が連動して開閉する可変入賞装置とすることができる。
【００１７】
また、請求項５に係る本発明は、請求項４に記載の弾球遊技機において、前記長尺部材の移動を案内する透明の案内部材を設けたことを特徴とする。
【００１８】
請求項５に係る本発明では、駆動手段と一対の可動翼片とに距離があっても確実に駆動力を伝達することができる。
【００１９】
また、請求項６に係る本発明は、請求項１乃至請求項５のいずれか一項に記載の弾球遊技機において、前記駆動手段はソレノイドであり、前記ソレノイドの駆動部が前記伝達部材に連結されていることを特徴とする。
【００２０】
請求項６に係る本発明では、ソレノイドの動作により応答性良く可動部材を動作させることができる。
【００２１】
上記目的を達成するための請求項７に係る本発明の弾球遊技機は、裏側が視認できる透明領域を有するベース板の前記透明領域に遊技球が流下可能な遊技領域を形成し、前記遊技領域に、一対の可動翼片が連動して開閉することで前記遊技球を受け入れやすい第１の状態と、前記遊技球を受け入れにくい第２の状態とに変換する可変入賞装置が配置された遊技盤を備え、前記遊技盤の裏側に表示状態が変化する表示手段と、前記遊技盤の前記透明領域から外れた位置に前記一対の可動翼片を開閉させるためのソレノイドと、前記ソレノイドの駆動力を前記一対の可動翼片に伝達する伝達部材とを設け、前記伝達部材は、前記ベース板の裏側でもって前記一対の可動翼片に連結されて一方向に往復運動することで前記一対の可動翼片を開閉させる連結部材と、前記ソレノイドの駆動部及び前記連結部材を連結し、前記ソレノイドの駆動力を連結部材の一方向の往復運動として伝達し、少なくとも前記透明領域に重なる部分が透明な長尺部材とで構成され、前記長尺部材の移動を案内する透明の案内部材を設けたことを特徴とする。
【００２２】
請求項７に係る本発明の弾球遊技機では、遊技領域の透明領域に配置された遊技球を受け入れやすい第１の状態と、遊技球を受け入れにくい第２の状態に変換する可変入賞装置のソレノイドを透明領域から外れた位置に設け、透明領域に重なる部分の長尺部材を透明にしたことにより、透明領域を通してソレノイド及び長尺部材が視認されにくくなり、美観を損なうことがない。そして、ソレノイド及び長尺部材が視認されにくく、美観を損なうことがない弾球遊技機で、透明領域である遊技領域における演出効果を飛躍的に向上させることができ、簡単な駆動機構により一対の可動翼片が連動して開閉する可変入賞装置とすることができ、ソレノイドと一対の可動翼片とに距離があっても確実に駆動力を伝達することができ、ソレノイドの動作により応答性良く一対の可動翼片を開閉させることができる。
【発明の効果】
【００２３】
本発明の弾球遊技機は、透明領域である遊技領域に配置された可動部材の駆動手段を透明領域から外れた位置に設け、透明領域と重なる部位の伝達部材を透明にしたので、透明領域を通して駆動手段及び伝達部材が視認されにくくなり、美観を損なうことがない弾球遊技機とすることができる。
【発明を実施するための最良の形態】
【００２４】
以下本発明の実施の形態を図面に基づき詳細に説明する。図面は模式的なものであり、各部材の形状や各寸法の比率等は現実のものとは異なる。従って、具体的な形状や寸法の比率等は以下の説明を参酌して判断すべきであり、図面相互間においても互いの寸法関係や比率関係が異なる部分が含まれている。
【００２５】
図１には本発明の一実施形態例に係る弾球遊技機の全体構成を表す斜視状況、図２には遊技盤の斜視状況、図３には遊技盤の概略構成を説明する分解斜視状況、図４には遊技盤の正面視、図５には遊技盤の裏面視を示してある。
【００２６】
また、図６、図７、図８には電動役物の開閉機構を示してあり、図６は閉じた状態の裏側からの正面、図７は開いた状態の裏側からの正面、図８には開閉機構の斜視状況を示してある。また、図９、図１０には一対の可動翼片の開閉機構の分解斜視を示してあり、図９には裏側からの分解斜視、図１０には表側からの分解斜視を示してある。更に、図１１にはアタッカー扉の開閉機構の斜視状況を示してある。
【００２７】
図１に基づいて弾球遊技機（以下、単に遊技機と記す）の全体構成を説明する。
【００２８】
遊技機１には外枠２が備えられ、遊技場の島設備に外枠２を介して遊技機１が設置される。外枠２にはベースドア３が開閉可能に支持されている。ベースドア３には遊技領域４aが形成される遊技盤４が設けられ、ベースドア３には遊技盤４の前面側に配されて開閉可能となるガラス扉５が備えられている。遊技盤４は、遊技領域４aと、透明領域を有するベース板４ｂと、後述する可変入賞装置とを構成し、遊技盤４は、ベース板４ｂ上に遊技球が流下する遊技領域４aが形成された構成となっている。
【００２９】
遊技盤４には始動口ユニット６が設けられ、始動口ユニット６に遊技球が入球することで所定数（例えば５個）の遊技球が賞球として払い出される。同時に、始動口ユニット６に遊技球が入球することで特別図柄の変動表示が開始される。また、遊技盤４には大入賞口ユニット７が設けられ、大入賞口ユニット７は、遊技状態が大当たり遊技状態となった時に所定の態様で開閉し遊技球が入球することによって所定数（例えば１５個）の遊技球が賞球として払い出されるようになっている。
【００３０】
更に、遊技盤４には一般入賞口８a、８b、８c、８dが設けられ、一般入賞口８a、８b、８c、８dに遊技球が入球することで所定数（例えば１０個）の遊技球が賞球として払い出される。そして、遊技盤４の下部にはアウト口９が設けられ、始動口ユニット６、大入賞口ユニット７及び一般入賞口８a、８b、８c、８dに入賞しなかった遊技球がアウト口９に受け入れられる。
【００３１】
本実施形態例では、始動口ユニット６及び大入賞口ユニット７は、後述するベース板４ｂの遊技領域４a（透明領域）の範囲に配置され、遊技球を受け入れやすい第１の状態（開状態）または遊技球を受け入れにくい第２の状態（閉状態）に変化可能な可変入賞装置とされている。また、ベースドア３には表示手段（図２に示す液晶表示装置１２）が設けられ、液晶表示装置１２により特別図柄の変動表示やデモ画像の表示が行われる。遊技者は、遊技盤４（ベース板４ｂ）を介して液晶表示装置１２に表示される画像を視認できるように構成されている。
【００３２】
図２、図３に基づいて遊技盤４の構成を説明する。
【００３３】
遊技盤４は、少なくとも一部の領域が透明な透明領域を有するベース板４bを備え、ベース板４b上の透明部に遊技領域４aが形成され、遊技領域４aに始動口ユニット６及び大入賞口ユニット７が配置されている。また、遊技盤４は、ベース板４bの背面側に設けられた背面側ステージ４eと、ベース板４bの前面側に設けられた前面側ステージ４fと、遊技領域４aに発射された遊技球を背面側ステージ４e上に誘導するワープ口４gと、一般入賞口８a、８b、８c、８dに入賞した遊技球をベース板４bの背面側に誘導する一般入賞球誘導口１１a、１１b、１１c、１１dとを有している。
【００３４】
ベース板４bは、具体的には、アクリル板やポリカーボネート等の透明性を有する部材を用いて形成される。遊技者が正対するベース板４bの正面側には遊技球が流下する遊技領域４aが形成され、ベース板４bには始動口ユニット６の始動口取付板６aや大入賞口ユニット７の大入賞口取付板７aが取り付けられると共に、遊技球の流下方向を変化させる釘（図示省略）等が配設されている。
【００３５】
また、ベース板４bの背面側にはスペーサ１３を介して液晶表示装置１２が配置される。スペーサ１３は、ベース板４bと液晶表示装置１２との間における遊技領域４a（透明領域）から外れた位置に、後述する駆動手段としての始動口ソレノイド１４や大入賞口ソレノイド１５等を設けるためのスペースを形成する部材である。また、液晶表示装置１２は、デモ画像や特別図柄の変動表示や所定の演出（例えば、大当たりやリーチ演出等）に係る画像を表示する。このため、演出効果を飛躍的に向上させることができる。
【００３６】
図３に示すように、始動口ユニット６及び大入賞口ユニット７は、ベース板４bの開口部４cに、ベース板４bの前面側から挿入される。また、ベース板４bの背面側には、始動口ユニット６及び大入賞口ユニット７の駆動手段や伝達部材、裏側部材等を設けるためのスペースを形成するスペーサ１３が配置されている。更に、スペーサ１３の背面側には液晶表示装置１２が配置されている。液晶表示装置１２はベースドア３（図１参照）に取り付けられている。
【００３７】
図１、図２、図３に示すように、始動口ユニット６及び大入賞口ユニット７は互いに近接して設けられ、始動口ユニット６の下方に近接して大入賞口ユニット７が位置するように構成されている。
【００３８】
図４、図５に基づいて始動口ユニット６を説明する。
【００３９】
始動口ユニット６は、ベース板４b（図２、図３参照）に取り付けられる始動口取付板６aと、始動口取付板６aに取り付けられ、後述する始動口ソレノイド１４が駆動することによって遊技球を受け入れやすい開状態（第１の状態）または遊技球を受け入れにくい閉状態（第２の状態）に変化する一対の可動翼片２１a、２１bを備えている。
【００４０】
ベース板４bの背面側には、一対の可動翼片２１a、２１bの開閉駆動を行う始動口ソレノイド１４が設けられ、始動口ソレノイド１４は遊技領域４a（透明領域）から外れた位置、即ち、一般入賞口８bの裏側に設けられている。始動口ソレノイド１４の駆動部には伝達部材である長尺部材としてのアーム１６が連結され、アーム１６の先端に一対の可動翼片２１a、２１bが連結している。始動口ソレノイド１４の駆動により、アーム１６が軸方向に往復移動し、後述する連結部材を介して一対の可動翼片２１a、２１bを連動して開閉するようになっている。
【００４１】
アーム１６は透明な部材で構成され、透明な案内部材１７により往復移動が案内されている。アーム１６は少なくとも透明領域と重なる部位が透明にされている。始動口ソレノイド１４が遊技領域４a（透明領域）から外れた位置である一般入賞口８bの裏側に設けられ、始動口ソレノイド１４の駆動力が透明なアーム１６を介して一対の可動翼片２１a、２１bに伝えられる。尚、案内部材１７は省略することも可能である。
【００４２】
このため、透明領域を通して始動口ソレノイド１４及びアーム１６が視認されにくくなり、美観を損なうことがなく、興趣の低下につながることがない。そして、アーム１６を案内部材１７で案内するようにしたので、始動口ソレノイド１４と一対の可動翼片２１a、２１bとに距離があっても確実に駆動力を伝達することができる。また、駆動手段としてソレノイドを用いたので、応答性よく一対の可動翼片２１a、２１bを開閉させることができる。
【００４３】
図６乃至図１０に基づいて始動口ユニット６を具体的に説明する。
【００４４】
図６、図７に示すように、始動口取付板６aには回動中心ピン２２a、２２bを介して可動翼片２１a、２１bが開閉自在に支持され、始動口取付板６aには回動中心ピン２２a、２２bを円弧中心とした円弧長穴２３a、２３bが設けられている。可動翼片２１a、２１bの回動中心と異なる位置には動作ピン２４a、２４bの先端が取り付けられ、動作ピン２４a、２４bは円弧長穴２３a、２３bに移動自在に支持されている。つまり、動作ピン２４a、２４bが円弧長穴２３a、２３bを移動することにより可動翼片２１a、２１bが回動中心ピン２２a、２２bを中心に開閉される。
【００４５】
図６、図７、図９に示すように、始動口取付板６aの裏側にはリンク２５a、２５bが回動自在に設けられ、リンク２５aの上側及びリンク２５bの下側には駆動ピン２６a、２６bが設けられている。そして、リンク２５a、２５bの回動中心位置側には連結リンク２７a、２７bが設けられ、連結リンク２７a、２７bは動作ピン２４a、２４bの基端に連結されている。
【００４６】
つまり、駆動ピン２６a、２６bが図６の状態（可動翼片２１a、２１bが閉じている状態）から同時に図中右方向に移動することで、図７に示すように、リンク２５aが時計回り方向に回動すると共にリンク２６bが反時計回り方向に回動し、連結リンク２７a、２７bを介して動作ピン２４a、２４bが円弧長穴２３a、２３bを下側に移動し、可動翼片２１a、２１bが回動中心ピン２２a、２２bを中心に回動して開状態にされる。
【００４７】
一方、始動口ソレノイド１４（図５参照）の駆動力はアーム１６を介して一対の可動翼片２１a、２１bに伝えられる。このため、リンク２５a、２５bの駆動ピン２６a、２６bを一方向に往復動させて可動翼片２１a、２１bを開閉させる連結部材２８（伝達部材）が設けられている。連結部材２８にはアーム１６の先端１６aが係止し、始動口ソレノイド１４（図５参照）の駆動によりアーム１６を介して連結部材２８が往復移動する。
【００４８】
図８、図９に示すように、リンク２５a、２５bの回動中心の部位にはスライドピン２９a、２９bが設けられる一方、図８、図９、図１０に示すように、連結部材２８にはスライドピン２９a、２９bに摺動自在に嵌合する長孔３０a、３０bが形成されている。また、連結部材２８にはリンク２５a、２５bの駆動ピン２６a、２６bが摺動自在に嵌合し上下方向に延びる規制長孔３１a、３１bが設けられ、駆動ピン２６a、２６bは規制長孔３１a、３１bに対して左右方向には移動不能で長手方向（上下方向）にのみ摺動自在に嵌合している。
【００４９】
つまり、スライドピン２９a、２９bに長孔３０a、３０bが案内されて連結部材２８が往復移動することで、規制長孔３１a、３１bに嵌合する駆動ピン２６a、２６bが左右方向に移動する。これにより、可動翼片２１a、２１bが回動中心ピン２２a、２２bを中心に回動して開閉される。即ち、始動口ソレノイド１４（図５参照）の駆動によりアーム１６を介して連結部材２８が一方向に往復移動し、一対の可動翼片２１a、２１bが開閉される。
【００５０】
上述した始動口ユニット６を備えたことにより、始動口ソレノイド１４及びアーム１６が視認されにくく美観を損なうことがない弾球遊技機で、遊技球を受け入れやすい開状態と遊技球を受け入れにくい閉状態に変換する一対の可動翼片２１a、２１bを備えた可変入賞装置を備えることができる。そして、簡単な駆動機構により一対の可動翼片２１a、２１bを連動して開閉させることができる。
【００５１】
尚、アーム１６を介して一対の可動翼片２１a、２１bを連動して開閉させる機構は、上述したリンク部材を組み合わせた構成に限定されず、始動口ソレノイド１４、アーム１６の駆動力を一対の可動翼片２１a、２１bの開閉動作として伝達する機構であれば他の構成を適用することも可能である。例えば、アーム１６と連結部材２８を一体成形としてもよい。
【００５２】
図４、図５に基づいて大入賞口ユニット７を説明する。
【００５３】
大入賞口ユニット７は、ベース板４b（図２、図３参照）に取り付けられる大入賞口取付板７aと、大入賞口取付板７aに取り付けられ、後述する大入賞口ソレノイド１５が駆動することによって遊技球を受け入れやすい開状態（第１の状態）または遊技球を受け入れにくい閉状態（第２の状態）に変化するアタッカー扉３２を備えている。
【００５４】
ベース板４bの背面側にはアタッカー扉３２の開閉駆動を行う大入賞口ソレノイド１５が設けられ、大入賞口ソレノイド１５は遊技領域４a（透明領域）から外れた位置、即ち、アウト口９に相当する高さ位置の裏側に設けられている。大入賞口ソレノイド１５の駆動部には伝達部材である長尺部材としてのアーム３３が連結され、アーム３３の先端にアタッカー扉３２が連結している。大入賞口ソレノイド１５の駆動によりアーム３３が軸方向に往復移動し、後述する駆動連結部材を介してアタッカー扉３２を開閉するようになっている。アーム３３は透明領域と重なる部位がないので、透明な部材で構成してもしなくてもよい。
【００５５】
このため、透明領域を通して大入賞口ソレノイド１５が視認されにくくなり、美観を損なうことがない。また、駆動手段としてソレノイドを用いたので、応答性よくアタッカー扉３２を開閉させることができる。
【００５６】
図１１に基づいて大入賞口ユニット７を具体的に説明する。図１１（a）には前面側からのアタッカー扉の開閉機構、図１１（b）には裏面側からのアタッカー扉の開閉機構を示してある。
【００５７】
図１１に示すように、アタッカー扉３２の下辺の端部にはアタッカー扉３２の下辺に沿った方向に延びる回動軸３４が固定され、大入賞口取付板７aにはアタッカー扉３２の下辺部分が回動軸３４を介して枢支されている。回動軸３４にはＵ字状開口３４aを有する嵌合部材３４ｂが固定されている。一方、大入賞口ソレノイド１５には駆動力を伝えるアーム３３が取り付けられ、アーム３３の上端には駆動連結部材３５が固定されている。駆動連結部材３５にはアタッカー扉３２側に延びるレバー３５aが設けられレバー３５aの先端部３５bが嵌合部材３４aのＵ字状開口３４aに遊嵌されている。アーム３３が軸方向に往復動（上下動）することにより、レバー３５aが上下動し、Ｕ字状開口３４aに遊嵌されている先端部３５bを介して嵌合部材３４aが上下方向に揺動する。嵌合部材３４aの上下方向の揺動により回動軸３４が回動し、アタッカー扉３２が開閉される。これにより、大入賞口ソレノイド１５の駆動によりアタッカー扉３２が開閉される。
【００５８】
アタッカー扉３２の内側には図示しない可動部材（入賞球を振り分けるシーソー等）が設けられ、アタッカー扉３２以外の可動部材もソレノイドによって可動される。図示は省略したが、これらの駆動手段も遊技領域４a（透明領域）から外れた位置に配置され、透明領域を通して視認されにくくなっている。
【００５９】
上述した大入賞口ユニット７を備えたことにより、大入賞口ソレノイド１５が視認されにくく美観を損なうことがない弾球遊技機で、遊技球を受け入れやすい開状態と遊技球を受け入れにくい閉状態に変換するアタッカー扉３２を備えた可変入賞装置を備えることができる。そして、簡単な駆動機構によりアタッカー扉３２を開閉させることができる。
【００６０】
上述した遊技機は、大型の液晶表示装置１２を用いて遊技盤４の広い領域に画像を表示させても、即ち、遊技領域を形成する遊技盤４の透明領域を広くしても、一対の可動翼片２１a、２１bを開閉させる始動口ソレノイド１４及びアタッカー扉３２を開閉させる大入賞口ソレノイド１５が視認されることがない遊技機となり、遊技の演出効果の飛躍的な向上と美観の低下防止とを両立させることができる。
【００６１】
上述した実施形態例では、可動部材として可変入賞装置である一対の可動翼片２１a、２１b及びアタッカー扉３２を例に挙げて説明したが、可動部材としてはこれに限定されるものではない。例えば、図１２に示したように、人形（図には雪だるまを示してある）４１に可動部材として腕４２を備え、所定の入賞口に遊技球が入球した際に腕４２を動かすように構成したものに適用することも可能である。この場合も、遊技領域４a（透明領域）から外れた位置に腕４２を動かすための駆動手段を設け、透明領域に重なる部分が透明な伝達手段を用いて駆動力を伝達する。
【００６２】
このような場合、液晶表示装置１２で雪３６を降らせる状態を表示する等することで、演出効果を更に向上させることができる。人形に限らず、遊技者の目をひきつけるものにすることにより、演出効果の向上と相まって、透明領域を通して視認される裏機構部材の認識感も低下し、美観の低下抑制感が得られ興趣の低下防止を図ることができる。
【００６３】
上述した実施形態例では、駆動手段として始動口ソレノイド１４、大入賞口ソレノイド１５を例に挙げて説明したが、電磁アクチュエータに代えてエアを駆動源とするアクチュエータを適用することも可能である。エアを駆動源とした場合、図１３に示すように、遊技球が通過した際に回転する回転物４４に対してエアを透明チューブ４５から供給するようにすることも可能である。所定の入賞口に遊技球が入球した際に透明チューブ４５からエアを供給することで、演出効果を更に向上させることができる。
【００６４】
また、上述した実施形態例では、遊技盤４の裏側に液晶表示装置１２を設けた遊技機を例に挙げて説明したが、本発明は液晶表示装置１２が備えられていない遊技機に適用することも可能である。
【００６５】
本発明はここでは記載していない様々な実施の形態等を含むことは勿論であり、本発明の技術的範囲は前述した説明から妥当な特許請求の範囲に係る発明特定事項によってのみ定められるものである。
【産業上の利用可能性】
【００６６】
本発明は、可動部材を動作させる駆動手段が美観を損ねることがない弾球遊技機、特に、大型の表示装置を用いて遊技盤の広い領域に画像を表示させても、即ち、遊技領域を形成する遊技盤の透明領域を広くしても、可動部材を動作させる駆動手段が視認されることがない弾球遊技機の産業分野で利用することができる。
【図面の簡単な説明】
【００６７】
【図１】本発明の一実施形態例に係る弾球遊技機の全体構成を表す斜視図である。
【図２】遊技盤の斜視図である。
【図３】遊技盤の概略構成を説明する分解斜視図である。
【図４】遊技盤の正面図である。
【図５】遊技盤の裏面視図である。
【図６】一対の可動翼片の閉じた状態の裏側からの正面図である。
【図７】一対の可動翼片の開いた状態の裏側からの正面図である。
【図８】一対の可動翼片の開閉機構の斜視図である。
【図９】一対の可動翼片の開閉機構の裏側からの分解斜視図である。
【図１０】一対の可動翼片の開閉機構の表側からの分解斜視図である。
【図１１】アタッカー扉の開閉機構の斜視図である。
【図１２】可動部材の他の実施形態例の説明図である。
【図１３】可動部材の他の実施形態例の説明図である。
【符号の説明】
【００６８】
１  遊技機
２  外枠
３  ベースドア
４  遊技盤
４a  遊技領域
４b  ベース板
４c  開口部
４e  背面側ステージ
４f  前面側ステージ
４g  ワープ口
５  ガラス扉
６  始動口ユニット
７  大入賞口ユニット
８a,８b,８c,８d  一般入賞口
９  アウト口
１１a,１１b,１１c,１１d  一般入賞球誘導口
１２  液晶表示装置
１３  スペーサ
１４  始動口ソレノイド
１５  大入賞口ソレノイド
１６  アーム
１７  案内部材
２１a,２１b  可動翼片
２２a,２２b  回動中心ピン
２３a,２３b  円弧長孔
２４a,２４b  動作ピン
２５a,２５b  リンク
２６a,２６b  駆動ピン
２７a,２７b  連結リンク
２８  連結部材
２９a,２９b  スライドピン
３０a,３０b  長孔
３２  アタッカー扉
３３  アーム
３４  回動軸
３４a  Ｕ字状開口
３４b  嵌合部材
３５a  レバー
３５b  先端部
３６  雪
４１  人形
４２  腕
４４  回転物
４５  透明チューブ
【図１】
2005296302.tif 000003
【図２】
2005296302.tif 000004
【図３】
2005296302.tif 000005
【図４】
2005296302.tif 000006
【図５】
2005296302.tif 000007
【図６】
2005296302.tif 000008
【図７】
2005296302.tif 000009
【図８】
2005296302.tif 000010
【図９】
2005296302.tif 000011
【図１０】
2005296302.tif 000012
【図１１】
2005296302.tif 000013
【図１２】
2005296302.tif 000014
【図１３】
2005296302.tif 000015